(57)【要約】【課題】コンテンツデータ再生を利用した各種サービスを提供すること。【解決手段】車載装置１０において、位置情報付音声データ取得部１６が、位置情報が対応付けられた音声データを放送、通信、携帯端末や可搬記録媒体からの読み出しによって取得する。そして、位置情報を目的地や経由地とした経路設定の要求、自車両の現在位置近傍の位置情報に対応付けられたコンテンツデータの再生、コンテンツデータ（音声データ）に対応付けられた情報のユーザへの提供を行なう。これにより、コンテンツデータに対応した経路の設定や、所定の順路に沿った経路案内と施設案内、自車位置周辺の情報提供、現在位置に対応した効果的な広告提供などの各種サービスを提供することができる。【選択図】        図１
2008139169.tif 000002
【特許請求の範囲】
【請求項１】
コンテンツデータを取得するコンテンツデータ取得手段と、
地図情報に基づいて経路案内を行なうナビゲーション部と、
前記コンテンツデータ取得手段で取得したコンテンツデータに位置情報が対応付けられていると、前記位置情報をナビゲーション部に出力する位置情報利用手段と、
を備え、前記ナビゲーション部は、前記位置情報利用手段からの前記位置情報に基づいて表示又は地点設定の制御を行なうことを特徴とするナビゲーション装置。
【請求項２】
前記ナビゲーション部は、前記位置情報に基づいて当該位置を目的地とする経路設定を行なうことを特徴とする請求項１に記載のナビゲーション装置。
【請求項３】
地図を表示するための表示手段をさらに有し、
前記ナビゲーション部は、前記表示手段に表示する地図上に前記位置情報に対応する地点を識別可能に表示させることを特徴とする請求項１に記載のナビゲーション装置。
【請求項４】
前記ナビゲーション部は、前記位置情報利用手段からの前記位置情報に基づいて、前記地図情報から当該位置情報に対応する地点を含む地図領域を決定し、前記表示手段に表示させることを特徴とする請求項３に記載のナビゲーション装置。
【請求項５】
コンテンツデータを取得するコンテンツデータ取得手段と、
前記コンテンツデータを再生するコンテンツデータ再生手段と、
現在位置を取得する現在位置取得手段と、
前記現在位置取得手段からの現在位置に基づいて、現在位置近傍の位置情報が対応付けられているコンテンツデータを再生対象として選択するコンテンツ再生制御手段と、を備えたことを特徴とするナビゲーション装置。
【発明の詳細な説明】
【技術分野】
【０００１】
この発明は、コンテンツデータを再生するコンテンツ再生装置に関し、特にコンテンツデータとナビゲーションデータとを用いた各種サービスを提供するナビゲーション装置に関する。
【背景技術】
【０００２】
近年、音楽や動画によるコンテンツ提供、例えばＣＤからの読み出しや放送受信において、コンテンツのデジタル化を行なうことが一般的となっている。かかるデジタル化では、提供する情報に加えて、他の情報を付帯することが容易であり、音楽データに楽曲名やアーティスト名を付帯することが広く行なわれている（例えば非特許文献１参照。）。
【０００３】
このコンテンツ提供の一つの形態として、車両に搭載された車載装置上で各種コンテンツの読み出しや放送受信を実行することで車両乗員が走行中にコンテンツを楽しめるようにするものがある。
【０００４】
一方、近年では車両の走行経路を案内するナビゲーション装置が車載装置として搭載されることが多い。このナビゲーション装置は、自車両の現在位置を取得する機能、地図を表示する機能を有しているので、自車両の現在位置近傍に存在する店舗などについて広告を行なう技術が考案されている（例えば特許文献２および３参照。）。
【０００５】
【非特許文献１】ポッドキャスティング  出典: フリー百科事典『ウィキペディア（Wikipedia）』http://ja.wikipedia.org/wiki/%E3%83%9D%E3%83%83%E3%83%89%E3%82%AD%E3%83%A3%E3%82%B9%E3%83%86%E3%82%A3%E3%83%B3%E3%82%B0
【特許文献３】特開２００２−３５０１５３号公報
【特許文献２】特開２００１−９１２７３号公報
【発明の開示】
【発明が解決しようとする課題】
【０００６】
コンテンツデータに対してそのコンテンツに直接に関係する情報、例えば曲名やアーティスト名を対応づけることは広く行なわれているが、対応付けることが可能な情報の内容はコンテンツデータ自体の内容には無関係に選択できる。そこで、コンテンツデータに対応付けた情報を利用した新しいサービスを提供することが、重要な課題となっている。
【０００７】
また、車載装置や携帯端末など、移動可能な状態でコンテンツを提供する場合には、その現在位置をもさらに利用したサービスを提供することが求められる。
【０００８】
本発明は、上述した従来技術における課題を解決するためになされたものであり、コンテンツデータ再生を利用した各種サービスを提供するコンテンツ再生方法を提供することを目的とする。
【課題を解決するための手段】
【０００９】
上述した課題を解決し、目的を達成するため、本発明に係るナビゲーション装置は、コンテンツデータを取得するコンテンツデータ取得手段と、地図情報に基づいて経路案内を行なうナビゲーション部と、前記コンテンツデータ取得手段で取得したコンテンツデータに位置情報が対応付けられていると、前記位置情報をナビゲーション部に出力する位置情報利用手段と、を備え、ナビゲーション部は、前記位置情報利用手段からの前記位置情報に基づいて表示又は地点設定の制御を行なうことを特徴とする。
【００１０】
また、コンテンツデータを取得するコンテンツデータ取得手段と、前記コンテンツデータを再生するコンテンツデータ再生手段と、現在位置を取得する現在位置取得手段と、前記現在位置取得手段からの現在位置に基づいて、現在位置近傍の位置情報が対応付けられているコンテンツデータを再生対象として選択するコンテンツ再生制御手段と、を備えることを特徴とする。
【発明の効果】
【００１１】
本発明によればナビゲーション装置は、コンテンツデータに対応付けられた位置情報を利用することで、経路設定や自車位置周辺の情報提供、広告などの各種サービスを提供することのできるコンテンツ再生装置を得ることができるという効果を奏する。
【発明を実施するための最良の形態】
【００１２】
以下に添付図面を参照して、この発明に係るナビゲーション装置について詳細に説明する。
【実施例】
【００１３】
図１は、本発明の実施例である車載装置１０の概要構成を示す概要構成図である。同図に示すように、車両に搭載された車載装置１０は、タッチパネル１、ディスプレイ２およびスピーカ３と接続する。また、車載装置１０は、その内部にコンテンツ再生ユニット１１、ナビゲーションユニット１２、入出力制御部１３、データ格納部１４、位置情報利用部１５、位置情報付音声データ取得部１６を有する。
【００１４】
コンテンツ再生ユニット１１は、テレビ放送やラジオ放送を受信したり、ＣＤ，ＤＶＤ，ＭＤ，ＨＤＤなどの記録媒体から読み出すことで取得したコンテンツデータの再生を行なうユニットである。
【００１５】
また、ナビゲーションユニット１２は、ＧＰＳ（Global Positioning System）人工衛星と通信して特定した自車両の位置と、予め記憶した地図データ３０とを利用して走行経路の設定および誘導を行なうユニットである。
【００１６】
入出力制御部１３は、タッチパネル１による入力に基づいてコンテンツ再生ユニット１１およびナビゲーションユニット１２の動作を制御し、またコンテンツ再生ユニット１１およびナビゲーションユニット１２からの出力を調停してディスプレイ２への表示出力とスピーカ３からの音声出力を制御する処理部である。
【００１７】
データ格納部１４は、例えばＨＤＤ（ハードディスクドライブ）などによって実現され、コンテンツ再生ユニット１１が再生するコンテンツデータや、ナビゲーションユニット１２が使用する地図データなどを格納している。
【００１８】
このように、車載装置１０は、コンテンツ再生機能とナビゲーション機能とを備えた複合機として動作する。そして、本発明にかかる車載装置１０は、位置情報が対応付けられたコンテンツデータを取得し、コンテンツデータの再生に際して当該コンテンツデータに対応付けられた位置情報を利用した制御を行なう点に主たる特徴がある。
【００１９】
コンテンツデータのデータ構造例を図２に示す。同図ではコンテンツデータＤ１０は、メインデータＤ１１とサブデータＤ１２を有する。メインデータＤ１１は、例えばＭＰ３形式で圧縮された音楽データや音声データ、また動画データなどであり、サブデータＤ１２はメインデータに対応付けられたデータである。
【００２０】
このサブデータＤ１２として、従来から楽曲名やアーティスト名、ジャケット写真のイメージ画像などメインデータＤ１１に関係のある情報を持たせることが行なわれている。
【００２１】
しかし、サブデータＤ１２は本来、メインデータＤ１１と無関係な内容であっても自由に書き込みできる領域として定義されているので、任意の緯度経度などの位置情報や、所望の各種情報、例えば位置情報に関連する情報を記載することができる。
【００２２】
図１に示した位置情報付音声データ取得部１６は、この位置情報が対応付けられた音声データを取得する。位置情報付音声データは、放送や通信による受信や、携帯端末や可搬記録媒体からの読み出しなど、任意の経路で取得することができる。
【００２３】
例えば、テレビやラジオのデジタル放送や、アナログのＦＭ多重放送、携帯電話回線網、インターネットとの無線接続、ＤＳＲＣなどの通信が位置情報付音声データの受信に利用できる。また、携帯端末とＵＳＢ接続などで接続して位置情報付音声データを取得しても良いし、ＣＤやＤＶＤなどの可搬記録媒体から読み出しても良い。
【００２４】
位置情報利用部１５は、位置情報付音声データ取得部１６から位置情報付音声データを直接取得するか、もしくは一旦データ格納部１４に格納された位置情報付音声データを読み出し、位置情報を利用した制御を行なう。
【００２５】
具体的には位置情報利用部１５は、その内部に経路設定要求部１５ａ、コンテンツ選択部１５ｂ、副情報提供部１５ｃを有する。
【００２６】
経路設定要求部１５ａは、コンテンツデータ（音声データ）が指定されている場合に対応付けられた位置情報を目的地や経由地として経路設定を行なうようナビゲーションユニット１２に要求する処理を行なう。
【００２７】
一方、コンテンツ選択部１５ｂは、ナビケーションユニット１２から位置情報を取得し、自車両の現在位置近傍の位置情報に対応付けられたコンテンツデータを再生対象として選択する処理を行なう。
【００２８】
さらに、副情報提供部１５ｃは、コンテンツデータ（音声データ）に対応付けられた情報を表示出力や音声出力でユーザに提供する処理を行なう。例えば、表示部に表示された地図上に対応する位置をアイコン等で識別可能に表示したり、音声にて位置情報に対応する住所等を出力する等してユーザに提供する。
【００２９】
つぎに、メインデータとサブデータの対応付けの具体例について図３を参照して説明する。同図に示すコンテンツデータＤ２０は、１つの音声データＤ２１に複数のサブデータＤ２２ａ〜Ｄ２２ｅが対応付けられている。
【００３０】
ここで、各サブデータＤ２２ａ〜Ｄ２２ｅは、音声データＤ２１の所定の再生位置に対応付けられている。したがって、メインデータＤ２１がコンテンツ再生ユニットによって再生されていると、再生が進むにつれて対応するサブデータ（位置情報および位置関連情報）が変化することとなる。
【００３１】
また、コンテンツデータＤ３０は、複数の音声データＤ３１ａ〜Ｄ３１ｅに複数のサブデータＤ３２ａ〜Ｄ３２ｅが対応付けられている。ここで、各サブデータＤ３２ａ〜Ｄ３２ｅは、複数の音声データＤ３１ａ〜Ｄ３１ｅにそれぞれ対応付けられている。
【００３２】
このコンテンツデータＤ２０やコンテンツデータＤ３０の音声データの内容に、街中の各種施設の案内を採用した場合、経路設定要求部１５ａはサブデータＤ２２ａ〜Ｄ２２ｄ（もしくはサブデータＤ３２ａ〜Ｄ３２ｄ）に示された位置を順次経由し、Ｄ２２ｅ（もしくはＤ３２ｅ）を目的地とした経路をナビゲーションユニット１２に設定させる。
【００３３】
そして、コンテンツデータD２０では副情報提供部１５ｃは、メインデータＤ２１の再生位置に対応する位置関連情報（例えばその位置に存在する施設の案内など）をユーザに提供する。
【００３４】
また、コンテンツデータＤ３０では、自車両の走行位置に従って音声データの再生が開始され、対応する位置関連情報、すなわち自車両の現在位置近傍の位置関連情報がユーザに提供される。
【００３５】
なお、コンテンツデータに対応付けられた位置情報が単数である場合、経路設定要求部１５ａは、その位置情報を目的地とした経路設定を要求することとなる。
【００３６】
経路設定要求部１５ａの処理動作を図４−１のフローチャートに示す。同図に示すように、経路設定部要求部１５ａは、音声データの選択を受け（ステップＳ１０１）、その音声データに対応付けられた位置情報を読み出す（ステップＳ１０２）。
【００３７】
そして、読み出した位置情報が単数か否かを判定し（ステップＳ１０３）、単数である場合には（ステップＳ１０３，Ｙｅｓ）、読み出した位置情報を目的地とした経路設定を行なうようナビゲーションユニット１２に要求し（ステップＳ１０４）、処理を終了する。
【００３８】
一方、読み出した位置情報が複数である場合（ステップＳ１０３，Ｎｏ）、経路設定要求部１５ａは、読み出した位置を順次経由して目的の位置に至る経路設定を行なうようナビゲーションユニット１２に要求し（ステップＳ１０５）、処理を終了する。
【００３９】
尚、ナビゲーションユニット１２は、経路設定要求部１５ａから経路設定の要求を受け取り、目的地の設定及び経路探索等の処理を行なう。
【００４０】
目的地の設定時に、当該位置を地図上に表示して、ユーザに設定地点を確認させるような構成であっても良い。こうすることで、設定を行なうか否かをユーザの意思で選択できるので、不要な案内や、誤った地点への案内を防ぐことができる。特に、複数の地点を経由する場合には、経由順序をユーザが選択することで、所望の経由順に移動することができる等、設定の自由度を高めることができる。
【００４１】
図４−２に、ナビゲーションユニット１２の処理動作を示す。同図に示したように、ナビゲーションユニット１２は、まず経路設定要求部１５ｂから経路設定の要求を受け取り（ステップＳ１１１）、目的地が１つであるか否かを判定する（ステップＳ１１２）。
【００４２】
その結果、目的地が１つであるならば（ステップＳ１１２，Ｙｅｓ）、その位置情報に対応する地点を含む地図を表示する（ステップＳ１１３）。そして、ユーザからその地点を目的地に指定する操作を受け付けた場合（ステップＳ１１４，Ｙｅｓ）には、位置情報に対応する地点を目的地とした経路を探索して設定した（ステップＳ１１５）後、処理を終了する。また、ユーザからその地点を目的地に指定する指示が無ければ（ステップＳ１１４，Ｎｏ）、そのまま処理を終了する。
【００４３】
一方、目的地が１つでなく、複数地点を経由する場合（ステップＳ１１２，Ｎｏ）、ナビゲーションユニット１２は、複数の位置情報に対応する地点を含む地図を表示し（ステップＳ１１６）、ユーザからその地点を目的地に指定する指示が無ければ（ステップＳ１１７，Ｎｏ）、そのまま処理を終了する。
【００４４】
また、ユーザからその地点を目的地に指定する指示があれば（ステップＳ１１７，Ｙｅｓ）、経由地点を選択する（経由順序を指定する）操作の受付を行ない（ステップＳ１１８）、ユーザからの経由順序の指定があるならば（ステップＳ１１９）、指定された経由順序での経路を探索して設定し（ステップＳ１１９）、処理を終了する。
【００４５】
また、ユーザからの経由順序の指定が無ければ（ステップＳ１１８）、規定の順序（例えば音声データの再生位置に対応する順序）で各地点を順次経由して目的の位置に至る経路を設定し（ステップＳ１２０）、処理を終了する。
【００４６】
つづいて、コンテンツ選択部１５ｂの処理動作について図５のフローチャートを参照して説明する。同図に示したように、コンテンツ選択部１５ｂは、まずナビゲーションユニット１２から自車両の現在位置を取得する（ステップＳ２０１）。そして、現在位置に近い位置情報を有する音声データを検索し（ステップＳ２０２）、検索の結果得られた音声データを再生する（ステップＳ２０３）。
【００４７】
ここで、既に述べたように複数の音声データを含むコンテンツデータが選択され、その音声データの順序に沿って走行するよう経路が設定されているならば、コンテンツ選択部１５ｂは、選択されたコンテンツデータに含まれる音声データの中から再生する音声データを検索する。
【００４８】
一方、再生すべきコンテンツデータが指定されていない状態では、コンテンツ選択部１５ｂは、全ての位置情報付音声データから現在位置近傍の位置情報を有する音声データを検索して再生する。この場合、予め再生することが予定されているのではなく、自車両が近くを通った場合に偶発的に音声データの再生が行なわれることとなる。
【００４９】
なお、図５に示した処理フローでは、現在位置から検索して得られた音声データの再生を自動的に開始することとしているが、例えば図６に示す様に自車両近傍に対応付けられた音声データをその位置情報に基づいて地図上に表示し、タッチパネルなどによってユーザが選択した音声データについて再生を行なうようにしてもよい。
【００５０】
ところで、音声データの再生位置に対して位置情報を対応付ける場合、特定の再生位置に複数の位置情報を対応付けることもできる。このような位置情報の利用法について、音声データに副情報として広告情報を付加する場合を例に説明を行なう。
【００５１】
図７に示したコンテンツデータＤ４０は、メインデータである音声データＤ４１に副情報として広告情報Ｄ４３が対応付けられている。そして、この広告情報Ｄ４２には、複数の位置情報Ｄ４２ｂ、Ｄ４２ｃ、Ｄ４２ｄが含まれている。
【００５２】
広告情報Ｄ４２は、例えばチェーン展開している企業の広告であり、Ｄ４２ｂ、Ｄ４２ｃ、Ｄ４２ｄは各店舗の位置情報と、その店舗に固有の情報（電話番号や営業時間など）を示す位置関連情報を有している。
【００５３】
ここで、副情報提供部１５ｃは、コンテンツデータＤ４０が再生されると、再生位置に対応して副情報を提示し、再生位置ｔ１では広告情報Ｄ４３を提示する。提示の具体例が図８であり、同図では、ディスプレイ表示ＧＤに再生中のコンテンツ内容に関係する楽曲関連情報表示Ｇ１として楽曲のタイトル、アーティスト、アルバムを表示している。
【００５４】
そして、広告情報表示Ｇ２として所定のイメージ画像Ｇ２１、携帯端末でアクセスするためのＱＲコードＧ２３、テキストメッセージＧ２４を表示している。イメージ画像Ｇ２１は例えば店舗のシンボルマークや商品画像など、テキストメッセージＧ２４は、特売品やキャンペーンをユーザに訴える内容などである。
【００５５】
そして、副情報提供部１５ｃは、ユーザが広告情報表示Ｇ２に触れると、ディスプレイ表示ＧＤを地図表示に切り替え、広告情報Ｄ４２に含まれる複数の位置情報Ｄ４２ｂ、Ｄ４２ｃ、Ｄ４２ｄを図６に示したように地図上に表示し、ユーザの来店を促す。ここでさらに位置情報表示にユーザが触れた場合に、その店舗にユーザを誘導するよう経路設定要求部１５が経路設定の変更を要求するようにしても良い。
【００５６】
広告情報を提供する場合の処理動作を図９のフローチャートに示す。同図に示す様に、まず、選択された音声データの再生が開始され（ステップＳ３０１）、広告情報を世は出して（ステップＳ３０２）、その広告情報をディスプレイに表示する（ステップＳ３０３）。
【００５７】
そして、タッチパネルがユーザから広告情報を選択する入力を受け付けた場合（ステップＳ３０４，Ｙｅｓ）、選択された広告に対応する位置情報を地図上に表示して（ステップＳ３０５）、処理を終了する。
【００５８】
上述してきたように、本実施例にかかる車載装置１０では、位置情報付音声データ取得部１６が、位置情報が対応付けられた音声データを放送、通信、携帯端末や可搬記録媒体からの読み出しによって取得する。
【００５９】
そして、位置情報を目的地や経由地とした経路設定の要求、自車両の現在位置近傍の位置情報に対応付けられたコンテンツデータの再生、コンテンツデータ（音声データ）に対応付けられた情報のユーザへの提供を行なう。
【００６０】
これにより、コンテンツデータに対応した経路の設定や、所定の順路に沿った経路案内と施設案内、自車位置周辺の情報提供、現在位置に対応した効果的な広告提供などの各種サービスを提供することができる。
【００６１】
なお、本実施例はあくまで一例であり、本発明は適宜構成を変更して実施することができる。例えば本実施例では、車載装置に本発明を適用する場合を例に説明を行なったが、例えば携帯用音楽端末など位置が変化する、コンテンツ再生可能な装置であれは任意の装置に適用することが可能である。
【産業上の利用可能性】
【００６２】
以上のように、本発明にかかるナビゲーション装置は、コンテンツ再生を利用したサービスの提供に有用であり、特に位置情報の変化に連動するサービスの提供に適している。
【図面の簡単な説明】
【００６３】
【図１】本発明の実施例にかかる車載装置の概要構成を示す概要構成図である。
【図２】コンテンツデータの構造例について説明する説明図である。
【図３】メインデータとサブデータの対応付けの具体例について説明する説明図である。
【図４−１】図１に示した経路設定要求部の処理動作を説明するフローチャートである。
【図４−２】経路設定要求部からの要求に基づくナビゲーションユニットの処理動作を説明するフローチャートである。
【図５】図１に示したコンテンツ選択部の処理動作を説明するフローチャートである。
【図６】音声データの位置情報に基づく地図表示について説明する説明図である。
【図７】広告情報の対応付けについて説明する説明図である。
【図８】広告情報のディスプレイへの表示例について説明する説明図である。
【図９】広告情報を提供する場合の処理動作を説明するフローチャートである。
【符号の説明】
【００６４】
１    タッチパネル
２    ディスプレイ
３    スピーカ
１０    車載装置
１１    コンテンツ再生ユニット
１２    ナビゲーションユニット
１３    入出力制御部
１４    データ格納部
１５    位置情報利用部
１５ａ  経路設定要求部
１５ｂ  コンテンツ選択部
１５ｃ  副情報提供部
１６    位置情報付音声データ取得部
【図１】
2008139169.tif 000003
【図２】
2008139169.tif 000004
【図３】
2008139169.tif 000005
【図４−１】
2008139169.tif 000006
【図４−２】
2008139169.tif 000007
【図５】
2008139169.tif 000008
【図６】
2008139169.tif 000009
【図７】
2008139169.tif 000010
【図８】
2008139169.tif 000011
【図９】
2008139169.tif 000012